(57)【特許請求の範囲】
【請求項１】
１本の長尺ベルトの途中を中間プーリによって立体的に捩ることにより、該ベルトの搬送面の向きと進行方向を変更するように形成するとともに、該ベルトの途中に延伸用ベルト格納部を設けてベルトコンベヤの搬送距離を連続的に伸縮可能に構成したベルトコンベヤに於いて、搬送物の集積部を中心にして２つの積込部を反対方向に設け、夫々の積込部から上面側を進行するベルトを通って搬送物を前記集積部へ搬送し、前記集積部にて搬送物を払出部へ向かって進行するベルトへ移載するようにベルトコンベヤを配設し、前記２つの積込部のうち、第１積込部のテールプーリから上面側を進行するベルトを前記集積部にて下面側へ折り返し、該ベルトを立体的に捩って搬送面の向きを変えるとともに、進行方向を第２積込部の下面側へ変更し、該ベルトを第２積込部のテールプーリから上面側へ折り返して前記集積部へ戻し、前記集積部にて該ベルトを下面側へ折り返した後に、該ベルトを立体的に捩って搬送面の向きを変えるとともに、進行方向を払出部の上面側へ変更し、更に、該ベルトを払出部のヘッドプーリから下面側へ折り返して延伸用ベルト格納部へ格納するとともに、延伸用ベルト格納部から繰り出されたベルトを立体的に捩って搬送面の向きを変えるとともに、進行方向を第１積込部の下面側へ変更し、該ベルトを第１積込部のテールプーリーにて上面側へ折り返したことを特徴とする連続延伸式ベルトコンベヤ。
【請求項２】
前記ベルトの搬送面の向きを変える箇所には少なくとも２本の中間プーリを配置し、入口側の中間プーリの回転軸と出口側の中間プーリの回転軸とを９０度ずらしてベルトを立体的に捩る請求項１記載の連続延伸式ベルトコンベヤ。
【請求項３】
前記ベルトの搬送面の向きを変える中間プーリは、夫々の変更箇所毎に各中間プーリの回転軸の中心点を略同一水平面に接近させて配置した請求項１または２記載の連続延伸式ベルトコンベヤ。
【発明の詳細な説明】
【０００１】
【発明の属する技術分野】
本発明は連続延伸式ベルトコンベヤに関するものであり、特に、トンネルで掘削したズリを切羽の積込部から集積部へ搬送し、集積部にて搬送方向を変更して払出部へ搬送する連続延伸式ベルトコンベヤに関するものである。
【０００２】
【従来の技術】
従来、１本の長尺ベルトの途中を中間プーリによって立体的に捩ることにより、該ベルトの進行方向を変更するようにしたベルトコンベヤは知られている（例えば特開昭５９−９２８０８号公報）。これは、積込側のテールプーリから上面側を進行するベルトを一旦進行変更部の中間プーリにて下面側へ折り返し、新たな進行方向へ傾けた他の中間プーリにて該ベルトを立体的に捩ることにより、ベルトの進行方向を変更するものである。
【０００３】
一方、トンネル工事に於いて、掘削機で掘削したズリを搬出する際に、連続延伸式ベルトコンベヤを使用して切羽の積込部から払出部へ搬送することが多くなっている。これは、１本の長尺ベルトの余剰部分を折り返して複数段のプーリに巻回した延伸式ベルト格納部を設け、トンネルの掘進に伴って該延伸式ベルト格納部からベルトを繰り出して、ベルトの搬送距離を連続的に延伸するようにしたものである。
【０００４】
【発明が解決しようとする課題】
トンネル掘削工事に於いて、連続延伸式ベルトコンベヤを使用すればトンネルの掘進に伴ってベルトを延伸することができるが、従来の連続延伸式ベルトコンベヤは途中で方向変換ができない。従って、導坑より導坑と角度をもって交差する本坑掘削を行う場合は、１台のベルトコンベヤではなく、複数のベルトコンベヤを組み合わせて搬送方向を変更するため、経済的ではなかった。
【０００５】
また、導坑から本坑の一方向へ掘削した後に反対方向へ掘削する場合は、一方向に設置したベルトコンベヤを反対方向に設置し直さなければならない。そして、導坑から本坑の両方向へ同時に掘削する場合は、更にベルトコンベヤを増設する必要がある。
【０００６】
一方、前述した公報記載のベルトコンベヤは比較的簡素な構成にてベルトの進行方向を変更できるが、双方の中間プーリの回転軸が斜めに配置されているため、中間プーリを通過するベルトの掛け回し長さが左右で相違し、ベルトが蛇行しやすい。従って、ベルトの蛇行を修正する装置が必要となる。
【０００７】
そこで、１台の連続延伸式ベルトコンベヤにて搬送方向を変更できるようにするために解決すべき技術的課題が生じてくるのであり、本発明はこの課題を解決することを目的とする。
【０００８】
【課題を解決するための手段】
本発明は上記目的を達成するために提案されたものであり、１本の長尺ベルトの途中を中間プーリによって立体的に捩ることにより、該ベルトの搬送面の向きと進行方向を変更するように形成するとともに、該ベルトの途中に延伸用ベルト格納部を設けてベルトの搬送距離を連続的に伸縮可能に構成したベルトコンベヤに於いて、搬送物の集積部を中心にして２つの積込部を反対方向に設け、夫々の積込部から上面側を進行するベルトを通って搬送物を前記集積部へ搬送し、前記集積部にて搬送物を払出部へ向かって進行するベルトへ移載するようにベルトコンベヤを配設し、前記２つの積込部のうち、第１積込部のテールプーリから上面側を進行するベルトを前記集積部にて下面側へ折り返し、該ベルトを立体的に捩って搬送面の向きを変えるとともに、進行方向を第２積込部の下面側へ変更し、該ベルトを第２積込部のテールプーリから上面側へ折り返して前記集積部へ戻し、前記集積部にて該ベルトを下面側へ折り返した後に、該ベルトを立体的に捩って搬送面の向きを変えるとともに、進行方向を払出部の上面側へ変更し、更に、該ベルトを払出部のヘッドプーリから下面側へ折り返して延伸用ベルト格納部へ格納するとともに、延伸用ベルト格納部から繰り出されたベルトを立体的に捩って搬送面の向きを変えるとともに、進行方向を第１積込部の下面側へ変更し、該ベルトを第１積込部のテールプーリーにて上面側へ折り返した連続延伸式ベルトコンベヤ、
及び、前記ベルトの搬送面の向きを変える箇所には少なくとも２本の中間プーリを配置し、入口側の中間プーリの回転軸と出口側の中間プーリの回転軸とを９０度ずらしてベルトを立体的に捩る連続延伸式ベルトコンベヤ、
並びに、前記ベルトの搬送面の向きを変える中間プーリは、夫々の変更箇所毎に各中間プーリの回転軸の中心点を略同一水平面に接近させて配置した連続延伸式ベルトコンベヤを提供するものである。
【０００９】
【発明の実施の形態】
以下、本発明の一実施の形態を図面に従って詳述する。図１及び図２はトンネル工事に於いて、導坑１１から本坑１２の両方向に切羽１３，１４が設けられている場合の連続延伸式ベルトコンベヤ１５を示し、本坑１２の中央部にズリの集積部１６を設け、切羽１３の近傍にズリの第１積込部１７を設置するとともに切羽１４の近傍に第２積込部１８を設置し、導坑１１の坑口にズリの払出部１９を設けてある。
【００１０】
即ち、前記集積部１６を中心にして２つの積込部１７，１８が反対方向に設けられ、第１及び第２の積込部１７，１８から積み込まれたズリは、上面側を進行するベルトＢ１，Ｂ５を通って前記集積部１６へ搬送され、前記集積部１６にて払出部１９へ向かって進行するベルトＢ８へズリを移載するように配設されている。
【００１１】
尚、ベルト２０は１本の長尺ベルトであるが、説明の都合上、該ベルト２０の各位置毎にＢ１乃至Ｂ２８の符号を付して説明する。また、前記２つの積込部１７，１８には夫々フィーダ２１，２２を設置してあり、掘削機（図示せず）で掘削したズリを夫々のフィーダ２１，２２にて積込部１７，１８へ搬送し、前記ベルトＢ１，Ｂ５へ移載する。
【００１２】
図１及び図３に示すように、第１積込部１７のテールプーリＰ１から上面側を進行するベルトＢ１を前記集積部１６にて下面側へ折り返すとともに、下面側のベルトＢ２を上下から挟挿する入口側の中間プーリＰ２，Ｐ２と、その後段に前記中間プーリＰ２の回転軸とは９０度ずらして設置され且つベルトを左右から挟挿する出口側の中間プーリＰ３，Ｐ３とによって立体的に捩り、搬送面を横向きに変えて（ベルトを縦にしてその両端部を上下方向にする）ベルトＢ３を進行させる。
【００１３】
続いて、中間プーリＰ４，Ｐ５にてベルトＢ３の進行方向を９０度ずつ変更し、該ベルトＢ３を左右から挟挿する入口側の中間プーリＰ６，Ｐ６と、その後段に前記中間プーリＰ６の回転軸とは９０度ずらして設置され且つベルトを上下から挟挿する出口側の中間プーリＰ７，Ｐ７とにより、該ベルトを立体的に捩って搬送面を下向きに変えるとともに、進行方向を第２積込部１８の下面側へ変更する。
【００１４】
そして、第２積込部１８の下面側のベルトＢ４をテールプーリＰ８にて上面側へ折り返し、上面側を進行するベルトＢ５を前記集積部１６へ戻す。前記集積部１６では該ベルトＢ５を下面側へ折り返した後に、下面側のベルトＢ６を上下から挟挿する入口側の中間プーリＰ９，Ｐ９と、その後段に前記中間プーリＰ９の回転軸とは９０度ずらして設置され且つベルトを左右から挟挿する出口側の中間プーリＰ１０，Ｐ１０とによって立体的に捩り、搬送面を横向きに変えてベルトＢ７を進行させる。
【００１５】
更に、中間プーリＰ１１にて進行方向を９０度変更し、該ベルトＢ７を左右から挟挿する入口側の中間プーリＰ１２，Ｐ１２と、その後段に前記中間プーリＰ１２の回転軸とは９０度ずらして設置され且つベルトを上下から挟挿する出口側の中間プーリＰ１３，Ｐ１３とにより、該ベルトを立体的に捩ってベルトＢ７の搬送面の向きと進行方向を変更した後、集積部１６のテールプーリＰ１４にて上面側へ折り返すことにより、ベルトＢ８を集積部１６から払出部１９の上面側へ進行させる。該上面側のベルトＢ８は払出部１９のヘッドプーリＰ１５にて下面側へ折り返し、延伸用ベルト格納部２３へ格納する。
【００１６】
この延伸用ベルト格納部２３は、対峙して設けられた複数のプーリＰ１６，Ｐ１６…間にベルトＢ９を折り返しながら掛け回しておき、対峙したプーリＰ１６，Ｐ１６…の軸間距離を拡大することにより、長尺のベルトを部分的に収納してベルトコンベヤ１５の搬送距離を短縮し、一方、該プーリＰ１６，Ｐ１６…の軸間距離を縮小することにより、収納していたベルトＢ９を繰り出して、ベルトコンベヤ１５の搬送距離を延伸するものである。
【００１７】
この延伸用ベルト格納部２３から前記集積部１６の下面側へ繰り出されたベルトＢ１０は、前記集積部１６の近傍にて上下から挟挿する入口側の中間プーリＰ１７，Ｐ１７と、その後段に前記中間プーリＰ１７の回転軸とは９０度ずらして設置され且つベルトを左右から挟挿する出口側の中間プーリＰ１８，Ｐ１８とによって立体的に捩り、搬送面を横向きに変えてベルトＢ１１を進行させる。
【００１８】
続いて、中間プーリＰ１９，Ｐ２０，Ｐ２１にてベルトＢ１１の進行方向を９０度ずつ変更し、該ベルトＢ１１を左右から挟挿する入口側の中間プーリＰ２２，Ｐ２２と、その後段に前記中間プーリＰ２２の回転軸とは９０度ずらして設置され且つベルトを上下から挟挿する出口側の中間プーリＰ２３，Ｐ２３とにより、該ベルトを立体的に捩って搬送面を下向きに変えるとともに、進行方向を第１積込部１７の下面側へ変更する。そして、第１積込部１７の下面側のベルトＢ１２をテールプーリＰ１にて上面側へ折り返し、上面側を進行するベルトＢ１を前記集積部１６へ戻す。
【００１９】
尚、図示はしないが、何れかのテールプーリまたは中間プーリに駆動装置を装着し、この駆動装置によってベルト２０を駆動するものとする。
【００２０】
このように、第１及び第２の積込部１７，１８から積み込まれたズリは、ベルトＢ１，Ｂ５を通って前記集積部１６へ搬送され、集積部１６からベルトＢ８へ移載されて払出部１９へ搬送される。そして、掘削機の前進に伴い、前記延伸用ベルト格納部２３からベルトを繰り出して、集積部１６と第１積込部１７との間のベルトＢ１，Ｂ１２の長さを延長するとともに、集積部１６と第２積込部１８との間のベルトＢ４，Ｂ５の長さを延長することにより、第１及び第２の積込部１７，１８を常に切羽１３，１４の近傍に設置することができる。
【００２１】
そして、ベルトの搬送面の向きを変える箇所には少なくとも２本の中間プーリを配設してあり、入口側の中間プーリの回転軸と出口側の中間プーリの回転軸とを９０度ずらしてベルトを立体的に捩るので、中間プーリを通過するベルトの掛け回し長さが左右で一致し、ベルトの蛇行を防止することができる。また、入口側の中間プーリと出口側の中間プーリは２本ずつ設けられ、夫々の中間プーリにてベルトを上下または左右から挟挿しているため、ベルトの蛇行をより一層抑えることができる。
【００２２】
また、前記ベルトの搬送面の向きを変える中間プーリは、入口側と出口側とで各中間プーリの回転軸の中心点を略同一水平面に接近させて配置してある。即ち、略水平方向に沿ってベルトの搬送面の向きを変更しているので、垂直方向の高さが制限されるトンネルに於いて、搬送面の向きを変える間隔を極端に短縮することなく、適正な長さで変更することができる。
【００２３】
ここで、本坑１２の掘削方向が１方向だけの場合、例えば前記切羽１３の方向のみの場合は、第１積込部１７を設置して第２積込部１８が不要となる。従って、第２積込部１８側のテールプーリＰ８を前記集積部１６に接近させ、ベルトＢ４及びＢ５部分の長さを最小に短縮するとともに、それによって生じるベルトの余剰分を前記延伸用ベルト格納部２３へ格納する。斯くして、当該ベルトコンベヤ１５は第１積込部１７の１方向のみに延設され、切羽１３で掘削したズリを払出部１９へ搬送する。
【００２４】
そして、掘削工事の進捗に伴い、前記切羽１３の掘削を停止して反対側の切羽１４を掘削する場合は、第２積込部１８側のテールプーリＰ８を切羽１４方向へ前進させてベルトＢ４及びＢ５部分の長さを延長するとともに、第１積込部１７側のテールプーリＰ１を前記集積部１６に接近させてベルトＢ１及びＢ１２部分を短縮する。即ち、第２積込部１８の前進に伴って第１積込部１７を後退させれば、前記延伸用ベルト格納部２３を稼動させることなく、当該ベルトコンベヤ１５を第２積込部１８の方向に延設することができる。
【００２５】
一方、切羽１３の掘削を継続しつつ、反対側の切羽１４を掘削する場合は、第１の積込部１７はそのまま設置しておき、前記延伸用ベルト格納部２３からベルトを繰り出して、当該ベルトコンベヤ１５を第２積込部１８の方向にも延設する。尚、前記集積部１６のテールプーリＰ１４を払出部１９の反対方向へ移動してベルト８を延伸していけば、集積部１６を中心として図面の手前側に新たな積込部を設置することもできる。
【００２６】
図４は前記集積部１６の手前側に第３積込部２５を設けるとともに、前記集積部１６と払出部１９との間に新たな集積部２６を設け、該集積部２６を中心にして新たに第４積込部２７と第５積込部２８を反対方向に設けた例を示す。尚、説明の都合上、図１乃至図３に示した構成と同一部分には同一符号を付すものとする。
【００２７】
前記延伸用ベルト格納部２３から繰り出されたベルトは、新たな集積部２６の近傍にて上下から挟挿する入口側の中間プーリＰ１７，Ｐ１７と、その後段に前記中間プーリＰ１７の回転軸とは９０度ずらして設置され且つベルトを左右から挟挿する出口側の中間プーリＰ１８，Ｐ１８とによって立体的に捩り、搬送面を横向きに変えてベルトＢ１５を進行させる。
【００２８】
続いて、中間プーリＰ２５にてベルトＢ１５の進行方向を９０度変更し、該ベルトＢ１５を左右から挟挿する入口側の中間プーリＰ２６，Ｐ２６と、その後段に前記中間プーリＰ２６の回転軸とは９０度ずらして設置され且つベルトを上下から挟挿する出口側の中間プーリＰ２７，Ｐ２７とにより、該ベルトを立体的に捩って搬送面を下向きに変えるとともに、進行方向を第４積込部２７の下面側へ変更する。
【００２９】
そして、第４積込部２７の下面側のベルトＢ１６をテールプーリＰ２８にて上面側へ折り返し、上面側を進行するベルトＢ１７を前記集積部２６へ戻す。前記集積部２６では該ベルトＢ１７を下面側へ折り返した後に、下面側のベルトＢ１８を上下から挟挿する入口側の中間プーリＰ２９，Ｐ２９と、その後段に前記中間プーリＰ２９の回転軸とは９０度ずらして設置され且つベルトを左右から挟挿する出口側の中間プーリＰ３０，Ｐ３０とによって立体的に捩り、搬送面を横向きに変えてベルトＢ１９を進行させる。
【００３０】
更に、中間プーリＰ３１，Ｐ３２にて該ベルト１９の進行方向を９０度ずつ変更し、該ベルトＢ１９を左右から挟挿する入口側の中間プーリＰ３３，Ｐ３３と、その後段に前記中間プーリＰ３３の回転軸とは９０度ずらして設置され且つベルトを上下から挟挿する出口側の中間プーリＰ３４，Ｐ３４とにより、該ベルトを立体的に捩って搬送面を下向きに変えるとともに、進行方向を第５積込部２８の下面側へ変更する。
【００３１】
続いて、第５積込部２８の下面側のベルトＢ２０をテールプーリＰ３５にて上面側へ折り返し、上面側を進行するベルトＢ２１を前記集積部２６へ戻す。前記集積部２６では該ベルトＢ２１を下面側へ折り返した後に、下面側のベルトＢ２２を上下から挟挿する入口側の中間プーリＰ３６，Ｐ３６と、その後段に前記中間プーリＰ３６の回転軸とは９０度ずらして設置され且つベルトを左右から挟挿する出口側の中間プーリＰ３７，Ｐ３７とによって立体的に捩り、搬送面を横向きに変えてベルトＢ２３を進行させる。
【００３２】
そして、該ベルトＢ２３を左右から挟挿する入口側の中間プーリＰ２２，Ｐ２２と、その後段に前記中間プーリＰ２２の回転軸とは９０度ずらして設置され且つベルトを上下から挟挿する出口側の中間プーリＰ２３，Ｐ２３とにより、該ベルトを立体的に捩って搬送面を下向きに変えるとともに、進行方向を第１積込部１７の下面側へ変更する。
【００３３】
斯くして、第１及び第２の積込部１７，１８の２方向の搬送路と略平行に、新たに第４及び第５の積込部２７，２８の２方向の搬送路を併設でき、例えば、道路や鉄道の上下路線のトンネルを施工する際に、２本のトンネルを同時に掘削してズリを払出部１９へ搬送することが可能となるとともに、必要に応じて払出部１９の反対方向へ第３の積込部２５を設けて掘進することもできる。
【００３４】
図５は前記集積部１６を中心として２つの積込部１７，１８と、２つの払出部１９，２９を夫々反対方向に設けた例を示し、第１積込部１７のテールプーリＰ１から上面側を進行するベルトＢ１を前記集積部１６にて下面側へ折り返すとともに、下面側のベルトＢ２を前後から挟挿する入口側の中間プーリＰ３８，Ｐ３８と、その後段に前記中間プーリＰ３８の回転軸とは９０度ずらして設置され且つベルトを左右から挟挿する出口側の中間プーリＰ３９，Ｐ３９とによって立体的に捩り、搬送面を横向きに変えてベルトを進行させる。
【００３５】
続いて、この中間プーリＰ３９の回転軸とは９０度ずらして設置され且つベルトを前後から挟挿する出口側の中間プーリＰ４０，Ｐ４０と、その上方部に設けたテールプーリＰ４１とによってベルトの搬送面を上向きに変更し、該上向きのベルトＢ２５は集積部１６の上方に設けられた右部集積部１６ａを通過して第２払出部２９へ向けて進行する。
【００３６】
そして、第２払出部２９のテールプーリＰ４２にて上面側のベルトＢ２５を下面側へ折り返し、下面側のベルトＢ２６を上下から挟挿する入口側の中間プーリＰ４３，Ｐ４３と、その後段に前記中間プーリＰ４３の回転軸とは９０度ずらして設置され且つベルトを左右から挟挿する出口側の中間プーリＰ４４，Ｐ４４とによって立体的に捩り、搬送面を横向きに変えてベルトＢ２７を進行させる。
【００３７】
続いて、中間プーリＰ４３にてベルトＢ２７の進行方向を９０度変更し、該ベルトＢ２７を左右から挟挿する入口側の中間プーリＰ４４，Ｐ４４と、その後段に前記中間プーリＰ４４の回転軸とは９０度ずらして設置され且つベルトを上下から挟挿する出口側の中間プーリＰ４５，Ｐ４５とにより、該ベルトを立体的に捩って搬送面を下向きに変えるとともに、進行方向を第２積込部１８の下面側へ変更する。
【００３８】
そして、第２積込部１８の下面側のベルトＢ４をテールプーリＰ８にて上面側へ折り返し、上面側を進行するベルトＢ５を前記集積部１６へ戻す。集積部１６では該ベルトＢ５を下面側へ折り返した後に、下面側のベルトＢ６を前後から挟挿する入口側の中間プーリＰ４６，Ｐ４６と、その後段に前記中間プーリＰ４６の回転軸とは９０度ずらして設置され且つベルトを左右から挟挿する出口側の中間プーリＰ４７，Ｐ４７とによって立体的に捩り、搬送面を横向きに変えてベルトを進行させる。
【００３９】
続いて、この中間プーリＰ４７の回転軸とは９０度ずらして設置され且つベルトを前後から挟挿する出口側の中間プーリＰ４８，Ｐ４８と、その上方部に設けたテールプーリＰ４９とによってベルトの搬送面を上向きに変更し、該上向きのベルトＢ８は左部集積部１６ｂを通過して払出部１９の上面側へ進行する。該ベルト８は払出部１９のヘッドプーリＰ１５にて下面側へ折り返され、前記延伸用ベルト格納部２３へ格納される。
【００４０】
延伸用ベルト格納部２３から繰り出されたベルトは、前記集積部１６の近傍にて上下から挟挿する入口側の中間プーリＰ１７，Ｐ１７と、その後段に前記中間プーリＰ１７の回転軸とは９０度ずらして設置され且つベルトを左右から挟挿する出口側の中間プーリＰ１８，Ｐ１８とによって立体的に捩り、搬送面を横向きに変えてベルトＢ２８を進行させる。
【００４１】
更に、中間プーリＰ５０にてベルトＢ２８の進行方向を９０度変更し、該ベルトＢ２８を左右から挟挿する入口側の中間プーリＰ２２，Ｐ２２と、その後段に前記中間プーリＰ２２の回転軸とは９０度ずらして設置され且つベルトを上下から挟挿する出口側の中間プーリＰ２３，Ｐ２３とにより、該ベルトを立体的に捩って搬送面を下向きに変えるとともに、進行方向を第１積込部１７の下面側へ変更する。
【００４２】
斯くして、第１及び第２の積込部１７，１８から積み込まれたズリは、二又シュートのフラッパ１６ｃの切換えにより、右部集積部１６ａを通過することによって第２払出部２９へ搬出され、一方、左部集積部１６ｂを通過することによって払出部１９へ搬出される。
【００４３】
このように、ベルトコンベヤ１５の搬送方向を変更したり積込部や払出部の移動に際して、ベルトコンベヤをその都度解体する等の作業が不要であり、簡易且つ迅速に搬送方向や積込部等を変更することができる。
【００４４】
尚、本発明は、本発明の精神を逸脱しない限り種々の改変を為すことができ、そして、本発明が該改変されたものに及ぶことは当然である。
【００４５】
【発明の効果】
本発明は上記一実施の形態に詳述したように、請求項１記載の発明は、１本の長尺ベルトの途中を中間プーリによって立体的に捩ることにより、搬送面の向きとベルトの進行方向を変更し、搬送物の集積部を中心にして２つの積込部を反対方向に設けるとともに、延伸用ベルト格納部を設けてベルトコンベヤの搬送距離を連続的に延伸可能に形成してある。従って、例えば、導坑から本坑の一方向へ掘削した後に反対方向へ掘削する場合や、導坑から本坑の両方向へ同時に掘削する場合等であっても、搬送方向を簡単に変更することができ、且つ、異なる複数の積込部から同時に搬送物を搬送できるので、搬送作業の効率が著しく向上するとともに、複数のベルトコンベヤを設置するのに比較して、設置コストを低く抑止できる。
【００４６】
請求項２記載の発明は、ベルトの搬送面の向きを変える箇所で、入口側の中間プーリの回転軸と、出口側の中間プーリの回転軸とを９０度ずらしてベルトを立体的に捩るので、中間プーリを通過するベルトの掛け回し長さが左右で一致し、ベルトの蛇行を防止することができる。
【００４７】
請求項３記載の発明では、ベルトの搬送面の向きを変える中間プーリは、夫々の変更箇所毎に各中間プーリの回転軸の中心点を略同一水平面に接近させて配置したので、略水平方向に沿ってベルトの搬送面の向きを変更することになり、垂直方向の高さが制限される工事箇所であっても、搬送面の向きを変える間隔を極端に短縮することなく、適正な長さで変更することができる。
【図面の簡単な説明】
図は本発明の一実施の形態を示すものである。
【図１】トンネル工事に於ける施工例を示し、集積部を中心に２つの積込部を設けたベルトコンベヤの斜視図。
【図２】図１の施工例を示す平面図。
【図３】図１の施工例を示す要部の拡大図。
【図４】他の施工例を示し、２つの集積部を中心に２つ以上の積込部を設けたベルトコンベヤの斜視図。
【図５】更に他の施工例を示し、集積部を中心に２つの積込部と２つの払出部を設けたベルトコンベヤの斜視図。
【符号の説明】
１５          ベルトコンベヤ
１６，２６    集積部
１７，１８    積込部
１９          払出部
２０          ベルト
２３          延伸用ベルト格納部
２５          積込部
２６          集積部
２７，２８    積込部
Ｐ１〜Ｐ５０  プーリ
【図１】
0004198247.tif 000002
【図２】
0004198247.tif 000003
【図３】
0004198247.tif 000004
【図４】
0004198247.tif 000005
【図５】
0004198247.tif 000006